(57)【要約】【課題】連続紙に対する画像形成処理において搬送停止を伴う異常が発生した場合のユーザーの作業負担を減らすこと。【解決手段】連続紙Ｐを搬送する用紙搬送部３１と、連続紙Ｐ上に画像を形成する画像形成部３２と、連続紙Ｐ上に形成された画像を定着する定着部３３と、定着部３３の温度を測定する温度センサーＳと、用紙搬送部３１、画像形成部３２、及び定着部３３の動作を制御する制御部３５と、を有し、制御部３５は、連続紙Ｐの搬送停止を伴う異常を検出した場合に、異常の検出時に温度センサーＳにより測定された定着部３３の温度に応じて、定着部３３による熱の影響を受ける連続紙Ｐの部分の除去の実行をユーザーに促すか否かを判断する判断処理を行う。【選択図】図２
2016224355.tif 000002
【特許請求の範囲】
【請求項１】
連続紙を搬送する用紙搬送部と、
連続紙上に画像を形成する画像形成部と、
連続紙上に形成された画像を定着する定着部と、
前記定着部の温度を測定する測定部と、
前記用紙搬送部、前記画像形成部、及び前記定着部の動作を制御する制御部と、を有し、
前記制御部は、
連続紙の搬送停止を伴う異常を検出した場合に、前記異常の検出時に前記測定部により測定された前記定着部の温度に応じて、前記定着部による熱の影響を受ける連続紙の部分の除去の実行をユーザーに促すか否かを判断する判断処理を行うことを特徴とする画像形成装置。
【請求項２】
前記制御部は、
前記異常の検出時の前記定着部の温度が所定値以上の場合、前記定着部による熱の影響を受ける連続紙の部分の除去の実行をユーザーに促し、
前記異常の検出時の前記定着部の温度が所定値に満たない場合、装置のリセットの実行をユーザーに促すよう判断することを特徴とする請求項１に記載の画像形成装置。
【請求項３】
連続紙を搬送する用紙搬送部と、
連続紙上に画像を形成する画像形成部と、
連続紙上に形成された画像を定着する定着部と、
前記定着部の温度を測定する測定部と、
前記用紙搬送部、前記画像形成部、及び前記定着部の動作を制御する制御部と、を有し、
前記制御部は、
連続紙の搬送停止を伴う異常を検出した場合に、前記異常の検出時以降の前記測定部により測定された前記定着部の温度の積算値に応じて、前記定着部による熱の影響を受ける連続紙の部分の除去の実行をユーザーに促すか否かを判断する判断処理を行うことを特徴とする画像形成装置。
【請求項４】
前記制御部は、
前記積算値が所定値に満たない場合、装置のリセットの実行をユーザーに促すよう判断し、
前記積算値が所定値以上となった場合、前記定着部による熱の影響を受ける連続紙の部分の除去の実行をユーザーに促す判断に切り替えることを特徴とする請求項３に記載の画像形成装置。
【請求項５】
前記制御部は、連続紙の搬送停止を伴う異常を検出した場合に、使用する連続紙の紙種に応じて、前記定着部による熱の影響を受ける連続紙の部分の除去の実行を即時行うことをユーザーに促すか否かを判断することを特徴とする請求項１〜４の何れか一項に記載の画像形成装置。
【請求項６】
前記制御部は、使用する連続紙の紙種が樹脂を主原料とする場合には、前記定着部による熱の影響を受ける連続紙の部分の除去の実行を即時行うことをユーザーに促すよう判断することを特徴とする請求項５に記載の画像形成装置。
【請求項７】
所定のメッセージを表示する表示部を備え、
前記制御部は、前記表示部に、前記判断処理の結果に応じたメッセージを表示させることを特徴とする請求項１〜６の何れか一項に記載の画像形成装置。
【請求項８】
前記制御部は、
連続紙の搬送停止を伴う異常を検出した場合、前記表示部に、異常状態の発生を通知する表示を開始させ、
前記判断処理の結果に応じた処置がなされた場合、前記表示部による異常状態の発生を通知する表示を終了することを特徴とする請求項７に記載の画像形成装置。
【請求項９】
請求項１〜８の何れか一項に記載の画像形成装置と、
前記画像形成装置に連続紙を給紙する給紙装置と、
前記画像形成装置から搬送されてきた連続紙を巻き取る巻取装置と、
を備えることを特徴とする画像形成システム。
【請求項１０】
連続紙を搬送する用紙搬送部と、連続紙上に画像を形成する画像形成部と、連続紙上に形成された画像を定着する定着部と、前記定着部の温度を測定する測定部と、を備える画像形成装置のコンピュータを、
連続紙の搬送停止を伴う異常を検出した場合に、前記異常の検出時に前記測定部により測定された前記定着部の温度に応じて、前記定着部による熱の影響を受ける連続紙の部分の除去の実行をユーザーに促すか否かを判断する判断処理を行う制御手段として機能させるためのプログラム。
【請求項１１】
連続紙を搬送する用紙搬送部と、連続紙上に画像を形成する画像形成部と、連続紙上に形成された画像を定着する定着部と、前記定着部の温度を測定する測定部と、を備える画像形成装置のコンピュータを、
連続紙の搬送停止を伴う異常を検出した場合に、前記異常の検出時以降の前記測定部により測定された前記定着部の温度の積算値に応じて、前記定着部による熱の影響を受ける連続紙の部分の除去の実行をユーザーに促すか否かを判断する判断処理を行う制御手段として機能させるためのプログラム。
【発明の詳細な説明】
【技術分野】
【０００１】
本発明は、画像形成装置、画像形成システム、及びプログラムに関する。
【背景技術】
【０００２】
従来、ロール紙のような連続紙を記録媒体として使用し、連続紙上に画像を形成する画像形成装置が知られている（例えば、特許文献１、２参照）。
こうした連続紙を使用した画像形成装置においては、画像形成処理中、装置の異常の発生等により搬送が停止した場合、連続紙の定着部近傍の部分が熱の影響を受けて傷むことがある。そこで、装置の異常の発生等により搬送が停止した場合、ユーザーは、画像形成処理の再開にあたって、連続紙の定着部近傍の部分を切断して取り除き、その後、取り除いた部分の後ろを先頭として画像形成装置に再セットしている。
【先行技術文献】
【特許文献】
【０００３】
【特許文献１】特開２００７−４１３７０号公報
【特許文献２】特開２０１０−１０２１５８号公報
【発明の概要】
【発明が解決しようとする課題】
【０００４】
ここで、連続紙に熱の影響がないのであれば、上記したような連続紙の一部分の切断除去及び再セットは必要ない。しかしながら、従来、画像形成処理中に連続紙の搬送停止を伴う異常が発生した場合、ユーザーは連続紙に対する熱の影響を把握することができず、上記連続紙の一部分の切断除去及び再セットを必ず実施していたため、ユーザーの作業負担が大変大きいものであった。
【０００５】
本発明はこのような課題に鑑みてなされたものであって、連続紙に対する画像形成処理において搬送停止を伴う異常が発生した場合のユーザーの作業負担を減らすことのできる画像形成装置、画像形成システム、及びプログラムを提供することを目的とする。
【課題を解決するための手段】
【０００６】
上記課題を解決するため、
本発明の一の態様によれば、画像形成装置において、
連続紙を搬送する用紙搬送部と、
連続紙上に画像を形成する画像形成部と、
連続紙上に形成された画像を定着する定着部と、
前記定着部の温度を測定する測定部と、
前記用紙搬送部、前記画像形成部、及び前記定着部の動作を制御する制御部と、を有し、
前記制御部は、
連続紙の搬送停止を伴う異常を検出した場合に、前記異常の検出時に前記測定部により測定された前記定着部の温度に応じて、前記定着部による熱の影響を受ける連続紙の部分の除去の実行をユーザーに促すか否かを判断する判断処理を行うことを特徴とする。
【０００７】
また、本発明の他の態様によれば、画像形成装置において、
連続紙を搬送する用紙搬送部と、
連続紙上に画像を形成する画像形成部と、
連続紙上に形成された画像を定着する定着部と、
前記定着部の温度を測定する測定部と、
前記用紙搬送部、前記画像形成部、及び前記定着部の動作を制御する制御部と、を有し、
前記制御部は、
連続紙の搬送停止を伴う異常を検出した場合に、前記異常の検出時以降の前記測定部により測定された前記定着部の温度の積算値に応じて、前記定着部による熱の影響を受ける連続紙の部分の除去の実行をユーザーに促すか否かを判断する判断処理を行うことを特徴とする。
【０００８】
また、本発明の他の態様によれば、画像形成システムにおいて、
前記画像形成装置と、
前記画像形成装置に連続紙を給紙する給紙装置と、
前記画像形成装置から搬送されてきた連続紙を巻き取る巻取装置と、
を備えることを特徴とする。
【０００９】
また、本発明の他の態様によれば、プログラムにおいて、
連続紙を搬送する用紙搬送部と、連続紙上に画像を形成する画像形成部と、連続紙上に形成された画像を定着する定着部と、前記定着部の温度を測定する測定部と、を備える画像形成装置のコンピュータを、
連続紙の搬送停止を伴う異常を検出した場合に、前記異常の検出時に前記測定部により測定された前記定着部の温度に応じて、前記定着部による熱の影響を受ける連続紙の部分の除去の実行をユーザーに促すか否かを判断する判断処理を行う制御手段として機能させるためのプログラムである。
【００１０】
また、本発明の他の態様によれば、プログラムにおいて、
連続紙を搬送する用紙搬送部と、連続紙上に画像を形成する画像形成部と、連続紙上に形成された画像を定着する定着部と、前記定着部の温度を測定する測定部と、を備える画像形成装置のコンピュータを、
連続紙の搬送停止を伴う異常を検出した場合に、前記異常の検出時以降の前記測定部により測定された前記定着部の温度の積算値に応じて、前記定着部による熱の影響を受ける連続紙の部分の除去の実行をユーザーに促すか否かを判断する判断処理を行う制御手段として機能させるためのプログラムである。
【発明の効果】
【００１１】
本発明によれば、連続紙に対する画像形成処理において異常が発生した場合の、ユーザーの作業負担を減らすことができる。
【図面の簡単な説明】
【００１２】
【図１】本発明における画像形成システムの概略構成の一例を示す図である。
【図２】本発明における画像形成装置の制御構成を示す機能ブロック図である。
【図３】第１実施形態の表示制御処理の実行に必要な設定テーブルの一例である。
【図４】第１実施形態の表示制御処理の手順を示すフローチャートである。
【図５】用紙即時除去を促す表示がされた表示部の一例である。
【図６】用紙除去を促す表示がされた表示部の一例である。
【図７】リセット指示の表示がされた表示部の一例である。
【図８】第２実施形態の表示制御処理の実行に必要な設定テーブルの一例である。
【図９】第２実施形態の表示制御処理の手順を示すフローチャートである。
【発明を実施するための形態】
【００１３】
［第１の実施の形態］
以下、本発明の第１の実施の形態について図面を参照して説明する。但し、発明の範囲は、図示例に限定されない。
【００１４】
先ず、本実施形態における画像形成システムの構成について説明する。
【００１５】
図１は、画像形成システム１の概略構成の一例を示す図である。
【００１６】
画像形成システム１は、連続紙（ロール紙）Ｐを記録媒体として使用し、この連続紙Ｐ上に画像を形成するシステムである。
図１に示すように、画像形成システム１は、連続紙Ｐの搬送方向に沿って上流側から、給紙装置１０、給紙調整装置２０、画像形成装置３０、巻取調整装置４０、巻取装置５０が接続されて構成される。
【００１７】
給紙装置１０は、連続紙Ｐを画像形成装置３０へ給紙する装置である。給紙装置１０の筐体内では、例えば、図１に示すように、ロール状の連続紙Ｐが支持軸に巻回されて回転可能に保持される。給紙装置１０では、支持軸に巻回された連続紙Ｐは、複数のローラー（例えば、繰り出しローラー、給紙ローラー）を経由して、一定の速度で外部へ搬送される。なお、給紙装置１０において、連続紙Ｐは必ずしもロール状に保持されている必要はなく、折り畳まれて保持されてもよい。また、図１には、一の連続紙Ｐしか示されていないが、複数の連続紙が保持されていてもよい。
【００１８】
給紙調整装置２０は、連続紙Ｐの搬送方向において、給紙装置１０の下流側、且つ、画像形成装置３０の上流側に設置される。給紙調整装置２０は、給紙装置１０から搬送された連続紙Ｐを、画像形成装置３０へと搬送する装置であって、給紙装置１０での連続紙Ｐの搬送速度と、画像形成装置３０での連続紙Ｐの搬送速度との速度差を吸収するために、図１に示すように連続紙Ｐをたるませて保持し、画像形成装置３０への連続紙Ｐの給紙を調整する。
【００１９】
画像形成装置３０は、連続紙Ｐに画像を形成する印刷機能を有する装置である。画像形成装置３０は、連続紙Ｐの搬送方向において、給紙調整装置２０の下流側、且つ、巻取調整装置４０の上流側に設置される。
【００２０】
巻取調整装置４０は、連続紙Ｐの搬送方向において、画像形成装置３０の下流側、且つ、巻取装置５０の上流側に設置される。巻取調整装置４０は、画像形成装置３０から搬送された連続紙Ｐを、巻取装置５０へと搬送する装置であって、画像形成装置３０での連続紙Ｐの搬送速度と、巻取装置５０での連続紙Ｐの搬送速度との速度差を吸収するために、図１に示すように連続紙Ｐをたるませて保持し、画像形成装置３０からの連続紙Ｐの排紙を調整する。
【００２１】
巻取装置５０は、巻取調整装置４０を経て画像形成装置３０から搬送されてきた連続紙Ｐを巻き取る装置である。巻取装置５０の筐体内では、例えば、図１に示すとおり、連続紙Ｐが支持軸に巻回されてロール状に保持される。そのために、巻取装置５０では、巻取調整装置４０から搬送されてきた連続紙Ｐは、複数のローラー（例えば、繰り出しローラー、排紙ローラー）を経由して、一定の速度で支持軸に巻き取られる。なお、巻取装置５０において、連続紙Ｐは必ずしもロール状に保持されている必要はなく、ページごとにカットされてもよい。
【００２２】
次に、画像形成装置３０の構成について詳細に説明する。
図２は、画像形成装置３０の制御構成を示す機能ブロック図である。
【００２３】
図２に示すように、画像形成装置３０は、例えば、用紙搬送部３１と、画像形成部３２と、定着部３３と、操作表示部３４と、制御部３５と、記憶部３６と、を備える。
【００２４】
用紙搬送部３１は、画像形成装置３０内部の連続紙Ｐの搬送機構であり、例えば、複数のローラーによって、給紙調整装置２０から搬送された連続紙Ｐを、画像形成部３２へ搬送し、画像形成部３２及び定着部３３を通過した連続紙Ｐを、巻取調整装置４０へと搬送する。
【００２５】
画像形成部３２は、電子写真プロセスによってトナー像を形成し、連続紙Ｐに転写する。
例えば、画像形成部３２においては、像担持体として、感光体ドラム（Ｙ、Ｍ、Ｃ、Ｋ）および中間転写ベルトＢが用いられる（図１参照）。中間転写ベルトＢは、無端ベルトであり、複数のローラーにより巻回され、走行可能に支持される。感光体ドラム（Ｙ、Ｍ、Ｃ、Ｋ）に形成された各色のトナー像は、中間転写ベルトＢ上に逐次転写され、各色（Ｙ、Ｍ、Ｃ、Ｋ）の層が重畳したトナー像（カラー画像）が中間転写ベルトＢ上に形成される。そして、トナーと逆極性のバイアスを転写ローラーＴに印加することにより、中間転写ベルトＢ上に形成されたトナー像は連続紙Ｐ上に転写される。
【００２６】
定着部３３は、連続紙Ｐ上に転写されたトナー像を定着させる。
例えば、定着部３３は、連続紙Ｐを挟持するための、加熱ローラー３３１及び加圧ローラー３３２からなる一対のローラーを備えている（図１参照）。
加熱ローラー３３１は、加熱源としてのヒーターＨによって所定の温度に加熱される。
加圧ローラー３３２は、図示しない弾性部材によって加熱ローラー３３１へ向かって付勢されている。トナー像の転写された連続紙Ｐは、加熱ローラー３３１と加圧ローラー３３２とのニップ部を通ることにより熱と圧力が加えられ、トナー像が溶融定着する。
また、加圧ローラー３３２の外周面近傍には、温度センサー（測定部）Ｓが設けられ、加圧ローラー３３２の外周面近傍の温度を、定着部３３の温度として測定可能である。
【００２７】
操作表示部３４は、表示画面を備え、画面上に各種情報の表示を行う表示部３４ａ、及びユーザーによる各種指示の入力に使用される操作部３４ｂを備えている。
【００２８】
制御部３５は、例えば、ＣＰＵ（Central Processing Unit）、ＲＡＭ（Random Access Memory）等により構成される。制御部３５のＣＰＵは、記憶部３６に記憶されているシステムプログラムや処理プログラム等の各種プログラムを読み出してＲＡＭに展開し、展開されたプログラムに従って各種処理を実行する。
例えば、制御部３５は、画像形成装置３０に含まれる各部を制御して、連続紙Ｐ上に画像を形成する処理（画像形成処理）を実行する。
また、制御部３５は、画像形成処理中に、連続紙Ｐの搬送が停止する異常が発生した場合、定着部３３の温度に応じた適切な処置をユーザーに促すメッセージを表示部３４ａに表示させる表示制御処理を実行する。表示制御処理の詳細は後述する。
【００２９】
記憶部３６は、例えば、ＨＤＤ（Hard Disk Drive）や半導体の不揮発性メモリー等で構成されている。
記憶部３６には、制御部３５で実行されるシステムプログラムや処理プログラムを始めとする各種プログラム、これらのプログラムの実行に必要なデータが記憶されている。例えば、記憶部３６には、表示制御処理の実行に必要な設定情報が記憶されている。
【００３０】
図３は、表示制御処理の実行に必要な設定情報としての設定テーブルＴ１の一例である。
図３に示すように、設定テーブルＴ１には、連続紙Ｐの種類（紙種）と、それに対応する基準温度、及び熱への耐性が設定されている。
ここで、基準温度とは、表示制御処理において、表示部３４ａに表示させるメッセージをどのようなものにするか判断の基準となる温度である。
また、熱への耐性は、その用紙の熱に対する強弱の設定であり、例えば、樹脂を主原料とする（即ち、樹脂を５０％以上含有する）用紙などについて「弱い」との設定がなされている。樹脂を主原料とする用紙とは、例えば、ポリエチレン、ポリプロピレン、ポリエチレンテレフタレート、ポリ塩化ビニル、ユポ紙（登録商標）等の合成紙などが挙げられる。
図３の例では、紙種として、普通紙、厚紙、フィルムの３種類の連続紙について設定されている。そして、普通紙に対しては、基準温度が１８０℃、熱への耐性が強いとの設定がなされ、厚紙に対しては、基準温度が２００℃、熱への耐性が強いとの設定がなされ、フィルムに対しては、基準温度が１００℃、熱への耐性が弱いとの設定がなされている。
【００３１】
なお、本実施形態においては、制御部３５は、図２に示すように、画像形成システム１全体を統括的に制御しているが、給紙装置１０、給紙調整装置２０、巻取調整装置４０、巻取装置５０の各装置がそれぞれ制御部を備えた構成であっても良い。
【００３２】
また、画像形成装置３０は、印刷機能に加え、コピー機能、スキャン機能、ファクシミリ機能等を有するＭＦＰ（Multi-Function Peripheral）であってもよい。
【００３３】
次に、本実施形態における画像形成システム１の動作について説明する。
画像形成システム１においては、連続紙Ｐに対して画像形成処理が実行される。
そして、画像形成処理中に画像形成システム１内で異常が発生し、連続紙Ｐの搬送が停止した場合、画像形成システム１においては、適切な処置をユーザーに促すメッセージを操作表示部３４の表示部３４ａに表示させる、以下の表示制御処理が実行される。
【００３４】
図４は、表示制御処理の手順を示すフローチャートである。
なお、図４は、画像形成システム１において連続紙Ｐの搬送が停止した以降の制御フローである。
【００３５】
先ず、制御部３５は、操作表示部３４の表示部３４ａに異常状態の発生を通知する表示（異常状態の表示）を開始する（ステップＳ１０１）。
【００３６】
図５は、操作表示部３４の表示部３４ａに異常状態の発生を通知する表示がされた一例である。
画像形成システム１内で異常が発生し、連続紙Ｐの搬送が停止した場合、表示部３４ａには、図５に示すような「用紙を搬送できませんでした」などのメッセージ３４１が、異常状態の発生を通知する表示として表示される。
【００３７】
図４に戻って、次に、制御部３５は、記憶部３６に記憶された設定テーブルＴ１を参照し、画像形成中の連続紙Ｐが熱に強い紙種である否かを判断し（ステップＳ１０２）、連続紙Ｐが熱に強い紙種でないと判断した場合（ステップＳ１０２：ＮＯ）、操作表示部３４の表示部３４ａに連続紙Ｐの即時除去を促す表示（用紙即時除去の表示）を開始する（ステップＳ１０３）。
【００３８】
図５は、操作表示部３４の表示部３４ａに、上記した異常状態の発生を通知する表示と共に、連続紙Ｐの即時除去を促す表示がされた一例である。
「連続紙Ｐの即時除去を促す表示」とは、定着部３３による熱の影響を受ける連続紙Ｐの部分の除去の実行を即時行うことをユーザーに促すメッセージの表示を意味する。
本発明において、「定着部３３による熱の影響を受ける連続紙Ｐの部分」とは、定着ユニットの入り口から出口までに位置する連続紙Ｐの部分や、定着ローラーと接する部分の前後約１０ｃｍの連続紙Ｐの部分などが相当する。
図５では、一例として「前扉を開けて、すぐに用紙を取り除いて下さい。定着部が冷えた後に用紙を再セットして下さい」とのメッセージ３４２が表示されている。
【００３９】
このような「連続紙Ｐの即時除去を促す表示」が表示部３４ａになされた場合、異常状態を解消するためには定着部３３による熱の影響を受ける連続紙Ｐの部分を取り除く必要があり、また、連続紙Ｐへのダメージを抑制する観点から、迅速な対応が好ましい。
従って、ユーザーは、表示に従い、定着部３３による熱の影響を受ける連続紙Ｐの部分を迅速に取り除き、定着部３３が冷えた後、連続紙Ｐを再セットする。具体的には、ユーザーは、迅速に、画像形成装置３０の搬送方向の前後で連続紙Ｐを切断し、画像形成装置３０の用紙搬送部３１から切断した部分を取り除く。そして、定着部３３が冷えた後、取り除いた部分の後を先頭として画像形成装置３０の用紙搬送部３１に連続紙Ｐを通過させ、取り除いた部分の前とつなぎ合わせて再セットする。
これにより、異常発生時において、連続紙Ｐへの熱のダメージを最低限に抑えつつ、異常状態に対処することが可能となる。
【００４０】
図４に戻って、次に、制御部３５は、画像形成システム１内の連続紙Ｐが除去されたか否かを判断し（ステップＳ１０４）、連続紙Ｐが除去されていない場合（ステップＳ１０４：ＮＯ）、このステップＳ１０４の処理を繰り返す。
一方、連続紙Ｐが除去された場合（ステップＳ１０４：ＹＥＳ）、制御部３５は、操作表示部３４における連続紙Ｐの即時除去を促す表示を終了する（ステップＳ１０５）。
【００４１】
次に、制御部３５は、操作表示部３４における異常状態の発生を通知する表示を終了し（ステップＳ１０６）、本処理を終了する。
【００４２】
また、上記ステップＳ１０２において、画像形成中の連続紙Ｐが熱に強い紙種であると判断した場合（ステップＳ１０２：ＹＥＳ）、制御部３５は、温度センサーＳにより定着部３３の温度を測定し、記憶部３６に記憶された設定テーブルＴ１を参照して、定着部３３の測定温度が所定値（基準温度）以上か否かを判断する（判断処理：ステップＳ１０７）。
【００４３】
そして、定着部３３の測定温度が所定値以上であると判断した場合（ステップＳ１０７：ＹＥＳ）、制御部３５は、操作表示部３４の表示部３４ａに連続紙Ｐの除去を促す表示（用紙除去の表示）を開始する（ステップＳ１０８）。
【００４４】
図６は、操作表示部３４の表示部３４ａに、上記した異常状態の発生を通知する表示と共に、連続紙Ｐの除去を促す表示がされた一例である。
「連続紙Ｐの除去を促す表示」とは、即時でなくとも良いが、定着部３３による熱の影響を受ける連続紙Ｐの部分の除去の実行を行うことをユーザーに促すメッセージの表示を意味し、図６では、一例として「前扉を開けて、用紙を取り除いて下さい。定着部が冷えた後に用紙を再セットして下さい」とのメッセージ３４３が表示されている。
【００４５】
このような「連続紙Ｐの除去を促す表示」が表示部３４ａになされた場合、異常状態を解消するためには定着部３３による熱の影響を受ける連続紙Ｐの部分を取り除く必要がある。
従って、ユーザーは、表示に従い、定着部３３による熱の影響を受ける連続紙Ｐの部分を取り除き、定着部３３が冷えた後、連続紙Ｐを再セットする。なお、連続紙Ｐが熱に強いものであるため、定着部３３が冷えた後、連続紙Ｐを取り除くこととしても良い。
【００４６】
図４に戻って、次に、制御部３５は、画像形成システム１内の連続紙Ｐが除去されたか否かを判断し（ステップＳ１０９）、連続紙Ｐが除去されていない場合（ステップＳ１０９：ＮＯ）、このステップＳ１０９の処理を繰り返す。
一方、連続紙Ｐが除去された場合（ステップＳ１０９：ＹＥＳ）、制御部３５は、操作表示部３４における連続紙Ｐの除去を促す表示を終了し（ステップＳ１１０）、上記ステップＳ１０６に移行する。
【００４７】
また、上記ステップＳ１０７において、定着部３３の測定温度が所定値に満たないと判断した場合（ステップＳ１０７：ＮＯ）、制御部３５は、操作表示部３４の表示部３４ａにリセット指示の表示を開始する（ステップＳ１１１）。
【００４８】
図７は、操作表示部３４の表示部３４ａに、上記した異常状態の発生を通知する表示と共に、リセット指示の表示がされた一例である。
「リセット指示の表示」とは、画像形成システム１をリセットすることをユーザーに促すメッセージの表示を意味し、図７では、一例として「用紙のセット状態と設定を確認してください。前扉の開閉でプリント再開できます。用紙にダメージがある場合は用紙送りを実施して下さい。」とのメッセージ３４４が表示されている。
【００４９】
このような「リセット指示の表示」が表示部３４ａになされた場合、異常状態を解消するために定着部３３による熱の影響を受ける連続紙Ｐの部分を取り除く必要がなく、装置のリセット（例えば、画像形成システム１の電源を一旦落として再稼働させる、画像形成装置３０の前扉を開閉するなど）を実行すればよい。
従って、ユーザーは、表示に従い、装置のリセットを行う。
これにより、異常発生時であっても、連続紙Ｐを装置内部から取り除く必要のない場合を認識でき、異常状態への対処においてユーザーの手間を低減することができることとなる。
【００５０】
図４に戻って、次に、制御部３５は、画像形成システム１がリセットされたか否かを判断し（ステップＳ１１２）、リセットされていない場合（ステップＳ１１２：ＮＯ）、このステップＳ１１２の処理を繰り返す。
一方、画像形成システム１がリセットされた場合（ステップＳ１１２：ＹＥＳ）、制御部３５は、操作表示部３４におけるリセット指示の表示を終了し（ステップＳ１１３）、上記ステップＳ１０６に移行する。
【００５１】
以上のように、本実施形態によれば、連続紙Ｐを搬送する用紙搬送部３１と、連続紙Ｐ上に画像を形成する画像形成部３２と、連続紙Ｐ上に形成された画像を定着する定着部３３と、定着部３３の温度を測定する温度センサーＳと、用紙搬送部３１、画像形成部３２、及び定着部３３の動作を制御する制御部３５と、を有し、制御部３５は、連続紙Ｐの搬送停止を伴う異常を検出した場合に、異常の検出時に温度センサーＳにより測定された定着部３３の温度に応じて、定着部３３による熱の影響を受ける連続紙Ｐの部分の除去の実行をユーザーに促すか否かを判断する判断処理を行う。
このため、連続紙Ｐの搬送停止を伴う異常を検出した際、定着部３３の温度に応じて必要な場合にのみ、定着部３３による熱の影響を受ける連続紙Ｐの部分の除去の実行をユーザーに促すこととなる。
よって、連続紙Ｐに対する画像形成処理において異常が発生した際のユーザーの負担を減らすことができる。
【００５２】
また、本実施形態によれば、制御部３５は、異常の検出時の定着部３３の温度が所定値以上の場合、定着部３３による熱の影響を受ける連続紙Ｐの部分の除去の実行をユーザーに促し、異常の検出時の定着部３３の温度が所定値に満たない場合、装置のリセットの実行をユーザーに促すよう判断する。
このため、連続紙Ｐの搬送停止を伴う異常を検出した際、定着部３３の温度が所定値に満たない場合には、連続紙Ｐの除去の実行ではなく装置のリセットをユーザーに促すこととなる。
よって、ユーザーは、連続紙Ｐの搬送停止を伴う異常を解消するために、装置のリセットを実行すればよい場合を認識でき、連続紙Ｐに対する画像形成処理において異常が発生した際のユーザーの負担を減らすことができる。
【００５３】
また、本実施形態によれば、制御部３５は、連続紙Ｐの搬送停止を伴う異常を検出した場合に、使用する連続紙Ｐの紙種に応じて、定着部３３による熱の影響を受ける連続紙Ｐの部分の除去の実行を即時行うことをユーザーに促すか否かを判断する。
このため、使用する連続紙Ｐの紙種に応じた迅速な対応をユーザーに促すことができる。
【００５４】
また、本実施形態によれば、制御部３５は、使用する連続紙Ｐの紙種が樹脂を主原料とする場合には、定着部３３による熱の影響を受ける連続紙Ｐの部分の除去の実行を即時行うことをユーザーに促すよう判断する。
このため、連続紙Ｐが熱に弱いものであった場合、ユーザーに迅速な対応を促すことができる。
【００５５】
また、本実施形態によれば、所定のメッセージを表示する表示部３４ａを備え、制御部３５は、表示部３４ａに、判断処理の結果（連続紙Ｐの除去、連続紙Ｐの即時除去、装置のリセット）に応じたメッセージを表示させる。
このため、ユーザーは、表示部３４ａに表示されたメッセージにより、必要な処置を認識することができる。
【００５６】
また、本実施形態によれば、制御部３５は、連続紙Ｐの搬送停止を伴う異常を検出した場合、表示部３４ａに、異常状態の発生を通知する表示を開始させ、判断処理の結果に応じた処置がなされた場合、表示部３４ａによる異常状態の発生を通知する表示を終了する。
このため、ユーザーは、表示部３４ａの表示により、異常状態が発生したこと及び異常状態が解除されたことを認識することができる。
【００５７】
［第２の実施の形態］
次に、本発明の第２の実施の形態について、第１の実施の形態と異なる点を中心に説明する。なお、以下の説明において第１の実施の形態と同一の構成については、同一の符号を付して説明を省略する。
【００５８】
本実施形態においては、制御部３５は、異常の検出時以降の定着部３３の温度の積算値に応じて、定着部３３による熱の影響を受ける連続紙Ｐの部分の除去の実行をユーザーに促すか否かを判断する。
具体的に、制御部３５は、連続紙Ｐの搬送停止を伴う異常を検出した場合、第１実施形態と同様、連続紙Ｐの紙種により、「連続紙Ｐの即時除去を促す表示」を表示部３４ａにするか否かを判断する。
そして、連続紙Ｐが熱に強い紙種であった場合には、制御部３５は、異常の検出時から所定周期（例えば１分）ごとに、定着部３３の温度を積算し、その積算値が、予め設定された所定値（基準積算温度）以上となった場合、定着部３３による熱の影響を受ける連続紙Ｐの部分の除去の実行をユーザーに促すとの判断を行い、「連続紙Ｐの除去を促す表示」を表示部３４ａに表示する。
【００５９】
図８は、本実施形態の表示制御処理の実行に用いらえる設定テーブルＴ２の一例である。
図８に示すように、設定テーブルＴ２には、連続紙Ｐの種類（紙種）と、それに対応する基準積算温度、及び熱への耐性が設定されている。
図８の例では、紙種として、普通紙、厚紙、フィルムの３種類の連続紙について設定されている。そして、普通紙に対しては、基準積算温度が５４０℃、熱への耐性が強いとの設定がなされ、厚紙に対しては、基準積算温度が８００℃、熱への耐性が強いとの設定がなされ、フィルムに対しては、基準積算温度が１００℃、熱への耐性が弱いとの設定がなされている。
【００６０】
図９は、本実施形態の表示制御処理の手順を示すフローチャートである。
図９も、図４と同様、画像形成中に画像形成システム１内で異常が発生し、動作が停止した以降の制御フローである。
【００６１】
図９におけるステップＳ２０１〜ステップＳ２０６は、それぞれ図４におけるステップＳ１０１〜ステップＳ１０６と同一の処理であるため、その説明は省略する。
【００６２】
ステップＳ２０２において、画像形成中の連続紙Ｐが熱に強い紙種であると判断した場合（ステップＳ２０２：ＹＥＳ）、制御部３５は、所定周期での定着部３３の測定温度の積算を開始する（ステップＳ２０７）。
【００６３】
次に、制御部３５は、記憶部３６に記憶された設定テーブルＴ２を参照し、積算値が所定値（基準積算温度）以上か否かを判断し（ステップＳ２０８）、積算値が所定値以上の場合（ステップＳ２０８：ＹＥＳ）、ステップＳ２０９に移行する。
また、上記ステップＳ２０８において、積算値が所定値に満たないと判断した場合（ステップＳ２０８：ＮＯ）、ステップＳ２１２に移行する。
【００６４】
ステップＳ２０９〜ステップＳ２１１は、それぞれ図４におけるステップＳ１０８〜ステップＳ１１０と同一の処理であり、ステップＳ２１２〜ステップＳ２１４は、それぞれ図３におけるステップＳ１１１〜ステップＳ１１３と同一の処理であるため、その説明は省略する。
【００６５】
上記の処理により、異常の発生時、定着部３３が所定値に満たない低い温度であったら、表示部３４ａに装置のリセット指示を促すメッセージ３４４が表示されるが、異常状態のまま放置しつづけ積算値が所定値以上となると、メッセージが切り替えられて、表示部３４ａに連続紙Ｐの除去を促すメッセージ３４３が表示されるようになる。
【００６６】
以上のように、本実施形態によれば、連続紙Ｐを搬送する用紙搬送部３１と、連続紙Ｐ上に画像を形成する画像形成部３２と、連続紙Ｐ上に形成された画像を定着する定着部３３と、定着部３３の温度を測定する温度センサーＳと、用紙搬送部３１、画像形成部３２、及び定着部３３の動作を制御する制御部３５と、を有し、制御部３５は、連続紙Ｐの搬送停止を伴う異常を検出した場合に、異常の検出時以降の温度センサーＳにより測定された定着部３３の温度の積算値に応じて、定着部３３による熱の影響を受ける連続紙Ｐの部分の除去の実行をユーザーに促すか否かを判断する判断処理を行う。
このため、連続紙Ｐの搬送停止を伴う異常を検出した際、定着部３３の温度の積算値に応じて必要な場合にのみ、定着部３３による熱の影響を受ける連続紙Ｐの部分の除去の実行をユーザーに促すこととなる。
よって、連続紙Ｐに対する画像形成処理において異常が発生した場合の、ユーザーの負担を減らすことができる。
【００６７】
また、本実施形態によれば、制御部３５は、積算値が所定値に満たない場合、装置のリセットの実行をユーザーに促すよう判断し、積算値が所定値以上となった場合、定着部３３による熱の影響を受ける連続紙Ｐの部分の除去の実行をユーザーに促す判断に切り替える。
このため、連続紙Ｐの搬送停止を伴う異常を検出した際、定着部３３の温度の積算値が所定値に満たない場合には、連続紙Ｐの除去の実行ではなく装置のリセットをユーザーに促し、積算値が所定値以上となった場合に、初めて、連続紙Ｐの除去の実行をユーザーに促すこととなる。
よって、ユーザーは、連続紙Ｐの搬送停止を伴う異常を解消するために、装置のリセットを実行すればよい場合を認識でき、連続紙Ｐに対する画像形成処理において異常が発生した場合の、ユーザーの負担を減らすことができる。
【００６８】
なお、上記第２実施形態においては、ステップＳ２０７において、積算値を算出すると共に、その積算値が所定値に達する所要時間を演算し、ステップＳ２１２において、リセット指示の表示と共にその所要時間を表示する構成としても良い。例えば、カウントダウンする形式での表示等を行うことで、ユーザーによりわかりやすい表示とすることができる。
【００６９】
また、上記第１実施形態及び第２実施形態においては、表示部３４ａにメッセージを表示してユーザーに対応を促す構成を例示して説明したが、表示の代わりに、例えば、音声等でユーザーに必要な処理を促す構成であっても良い。
【符号の説明】
【００７０】
１  画像形成システム
１０  給紙装置
２０  給紙調整装置
４０  巻取調整装置
５０  巻取装置
３０  画像形成装置
３１  用紙搬送部
３２  画像形成部
３３  定着部
３３１  加熱ローラー
３３２  加圧ローラー
Ｈ  ヒーター
Ｓ  温度センサー（測定部）
３４  操作表示部
３４ａ  表示部
３４ｂ  操作部
３４１、３４２、３４３、３４４  メッセージ
３５  制御部
３６  記憶部
Ｔ１、Ｔ２  設定テーブル
Ｐ  連続紙
【図１】
2016224355.tif 000003
【図２】
2016224355.tif 000004
【図３】
2016224355.tif 000005
【図４】
2016224355.tif 000006
【図５】
2016224355.tif 000007
【図６】
2016224355.tif 000008
【図７】
2016224355.tif 000009
【図８】
2016224355.tif 000010
【図９】
2016224355.tif 000011